(57)【要約】本発明は、無線ローカルエリアネットワーク（ＷＬＡＮ）のアクセスポイントまたはアクセス制御装置などのＷＬＡＮエンティティを提供する。当該エンティティは、ＷＬＡＮにアソシエートしていないデバイスから受信したロードインフォメーションについてのリクエストに応答してセルラーモバイルネットワークについてのロードインフォメーションを取得するように構成されたプロセッサを有する。当該エンティティは、取得したロードインフォメーションをデバイスに送信する送信機を有する。本発明はさらにセルラーモバイルネットワークに接続する能力とＷＬＡＮにアソシエートする能力を有するセルラー電話機などのデバイスを提供する。当該デバイスは、送信機、受信機およびプロセッサを有する。送信器は、デバイスがＷＬＡＮにアソシエートしていないときに、ＷＬＡＮのエンティティに対して、セルラーモバイルネットワークのロードインフォメーションについてのリクエストを送信できる。受信機はロードインフォメーションを受信できる。プロセッサはロードインフォメーションを使用してＷＬＡＮにアソシエートするかどうかを判定する。
2016504785.tif 000002
【特許請求の範囲】
【請求項１】
無線ローカルエリアネットワーク（ＷＬＡＮ）のエンティティを動作させる方法であって、
ＷＬＡＮにアソシエートしていないデバイスからセルラーモバイルネットワークについてのロードインフォメーションについてのリクエストを受信することと、
前記ロードインフォメーションを取得することと、
前記ロードインフォメーションを前記デバイスに送信することと
を有することを特徴とする方法。
【請求項２】
前記リクエストは、公衆地上モバイルネットワーク（ＰＬＭＮ）の識別情報を含み、
前記ロードインフォメーションを取得することは、前記ＰＬＭＮの識別情報から、前記ＷＬＡＮのアクセスポイントとオーバーラップしているカバレッジを有している前記セルラーモバイルネットワークのセルを判定することと、当該セルについてのロードインフォメーションを取得することとを含むことを特徴とする請求項１に記載の方法。
【請求項３】
前記リクエストは、さらに、前記デバイスの無線能力に関する情報を含み、
前記セルラーモバイルネットワークのセルを判定することは、前記デバイスにアソシエートすることができる前記セルラーモバイルネットワークにおける一つ以上のセルを判定するために当該情報を使用することを含むことを特徴とする請求項２に記載の方法。
【請求項４】
前記リクエストは、前記セルラーモバイルネットワークにおけるセルの識別情報を含み、
前記ロードインフォメーションを取得することは、前記識別情報により識別されたセルについてのロードインフォメーションを取得することを含むことを特徴とする請求項１に記載の方法。
【請求項５】
前記ロードインフォメーションを取得することは、
前記セルラーモバイルネットワークのエンティティに対してロードインフォメーションについてのリクエストを送信することと、
前記セルラーモバイルネットワークについてのロードインフォメーションを受信することと
を含むことを特徴とする請求項１ないし４のいずれか１項に記載の方法。
【請求項６】
前記方法は、
前記ＷＬＡＮの前記エンティティが前記セルラーモバイルネットワークに関連した前記ロードインフォメーションをメモリに記憶させることをさらに有し、
前記ロードインフォメーションを取得するステップは、前記メモリから前記ロードインフォメーションを抽出することを含むことを特徴とする請求項１ないし５のいずれか１項に記載の方法。
【請求項７】
前記方法は、
前記ロードインフォメーションについての前記リクエストは、前記ＷＬＡＮの少なくとも一部についてのロードインフォメーションについてのリクエストと、前記セルラーモバイルネットワークについてのロードインフォメーションのリクエストとを含むことを特徴とする請求項１ないし６のいずれか１項に記載の方法。
【請求項８】
前記ロードインフォメーションは、アクセスポイントのロードと、バックホールのロードと、エアインタフェースのロードと、３ＧＰＰ ＲＡＮノードのロードと、ネットワークの処理のロードとのうちの一つ以上を含むことを特徴とする請求項１ないし７のいずれか１項に記載の方法。
【請求項９】
無線ローカルエリアネットワーク（ＷＬＡＮ）のエンティティであって、
前記ＷＬＡＮとアソシエートしていないデバイスから受信したロードインフォメーションについてのリクエストに応答してセルラーモバイルネットワークについてのロードインフォメーションを取得するように構成されたプロセッサと、
前記デバイスに前記取得したロードインフォメーションを送信する送信機と
を有することを特徴とするエンティティ。
【請求項１０】
前記リクエストは、公衆地上モバイルネットワーク（ＰＬＭＮ）の識別情報を含み、
前記エンティティは、前記ＰＬＭＮの識別情報から、前記ＷＬＡＮのエンティティとオーバーラップしているカバレッジを有している前記セルラーモバイルネットワークのセルを判定し、当該セルについてのロードインフォメーションを取得するように構成されていることを特徴とする請求項９に記載のエンティティ。
【請求項１１】
前記リクエストは、さらに、前記デバイスの無線能力に関する情報を含み、
前記エンティティは、さらに、前記デバイスにアソシエートすることができる前記セルラーモバイルネットワークにおける一つ以上のセルを判定するために当該情報を使用することで、前記セルラーモバイルネットワークのセルを判定するように構成されていることを特徴とする請求項１０に記載のエンティティ。
【請求項１２】
前記リクエストは、前記セルラーモバイルネットワークにおけるセルの識別情報を含み、
前記ロードインフォメーションを取得することは、前記識別情報により識別されたセルについてのロードインフォメーションを取得することを含むことを特徴とする請求項９に記載のエンティティ。
【請求項１３】
前記エンティティは、前記プロセッサにより前記送信機に前記セルラーモバイルネットワークのエンティティに対してロードインフォメーションについてのリクエストを送信させるように構成されており、前記エンティティは、前記セルラーモバイルネットワークについてのロードインフォメーションを受信するように動作する受信機を有することを特徴とする請求項９ないし１２のいずれか１項に記載のエンティティ。
【請求項１４】
前記エンティティは、前記セルラーモバイルネットワークのセルに関連したロードインフォメーションを記憶するように構成されたメモリをさらに有し、前記ロードインフォメーションを取得することは、前記メモリから前記ロードインフォメーションを抽出することを含むことを特徴とする請求項９ないし１２のいずれか１項に記載のエンティティ。
【請求項１５】
前記ロードインフォメーションについての前記リクエストは、前記ＷＬＡＮの少なくとも一部についてのロードインフォメーションについてのリクエストと、前記セルラーモバイルネットワークについてのロードインフォメーションのリクエストとを含むことを特徴とする請求項９ないし１４のいずれか１項に記載のエンティティ。
【請求項１６】
前記ロードインフォメーションは、アクセスポイントのロードと、バックホールのロードと、エアインタフェースのロードと、３ＧＰＰ ＲＡＮノードのロードと、ネットワークの処理のロードとのうちの一つ以上を含むことを特徴とする請求項９ないし１５のいずれか１項に記載のエンティティ。
【請求項１７】
前記エンティティは、ＷＬＡＮアクセスポイントまたはＷＬＡＮアクセス制御装置を含むことを特徴とする請求項９ないし１６のいずれか１項に記載のエンティティ。
【請求項１８】
セルラーモバイルネットワークへ接続する能力とＷＬＡＮにアソシエートするする能力とを有するデバイスを動作させる方法であって、
前記デバイスが無線ローカルエリアネットワーク（ＷＬＡＮ）にアソシエートしていないときに、前記ＷＬＡＮのエンティティに対して、セルラーモバイルネットワークのロードインフォメーションについてのリクエストを送信することと、
前記ロードインフォメーションを受信することと、
前記ＷＬＡＮにアソシエートするかどうかを判定するために前記ロードインフォメーションを使用することと
を有することを特徴とする方法。
【請求項１９】
前記リクエストは、公衆地上モバイルネットワーク（ＰＬＭＮ）の識別情報を含むことを特徴とする請求項１８に記載の方法。
【請求項２０】
前記リクエストは、前記デバイスの無線能力に関連した情報を含むことを特徴とする請求項１８または１９に記載の方法。
【請求項２１】
前記リクエストは、前記セルラーモバイルネットワークにおけるセルの識別情報を含み、前記ロードインフォメーションは、前記識別情報により識別されるセルのロードインフォメーションを含むことを特徴とする請求項１８に記載の方法。
【請求項２２】
セルラーモバイルネットワークへ接続する能力とＷＬＡＮにアソシエートするする能力とを有するデバイスであって、
前記デバイスが無線ローカルエリアネットワーク（ＷＬＡＮ）にアソシエートしていないときに、前記ＷＬＡＮのエンティティに対して、セルラーモバイルネットワークのロードインフォメーションについてのリクエストを送信するように動作する送信機と、
前記ロードインフォメーションを受信するように動作する受信機と、
前記ロードインフォメーションを使用して前記ＷＬＡＮにアソシエートするかどうかを判定するように動作するプロセッサと
を有することを特徴とするデバイス。
【請求項２３】
前記リクエストは、ＰＬＭＮの識別情報を含むことを特徴とする請求項２２に記載のデバイス。
【請求項２４】
前記リクエストは、前記デバイスの無線能力に関連する情報を含むことを特徴とする請求項２２または２３に記載のデバイス。
【請求項２５】
前記リクエストは、前記セルラーモバイルネットワークにおけるセルの識別情報を含むことを特徴とする請求項２２に記載のデバイス。
【発明の詳細な説明】
【技術分野】
【０００１】
本発明は、エンティティと、無線ローカルエリアネットワーク（ＷＬＡＮ）のエンティティを動作させる方法に関し、とりわけ、Ｗｉ−Ｆｉネットワークに関する。さらに、本発明は、ＷＬＡＮのエンティティに関し、ＷＬＡＮに関連付けられていないデバイスに対して、セルラーモバイルネットワークに関連付けられているロードインフォメーション（負荷情報）を提供するＷＬＡＮのエンティティを動作させる方法に関する。
【背景技術】
【０００２】
モバイル通信ネットワークにおけるデータトラフィックは増加の一途をたどっている。したがって、通信事業者は、とりわけ、高いトラフィックのエリアとネットワークカバレッジの乏しいエリアにおいてより大きな収容能力を実現するために、複数の無線アクセステクノロジー（ＲＡＴ）を利用するヘテロジニアス（異種）アクセスネットワークを採用している。
【０００３】
典型的には、これらのヘテロジニアスアクセスネットワークの一部として利用される無線アクセス技術には、ＵＭＴＳ無線アクセスネットワーク（ＵＴＲＡＮ）や発展型ＵＴＲＡＮ（Ｅ−ＵＴＲＡＮ）、そしてＷｉ−Ｆｉ／ＷＬＡＮが含まれる。たとえば、図１は、ここで説明する方法を適宜実装可能な３ＧＰＰ ＲＡＮ ２とＷｉ−Ｆｉ ＲＡＮ ３を含むヘテロジニアスネットワーク１の簡単な例を示している。３ＧＰＰ ＲＡＮ ２はいくつかの３ＧＰＰ 無線ノード４を有している。たとえば、３ＧＰＰ ＲＡＮがＵＴＲＡＮであった場合、これらの無線ノードはＮｏｄｅ Ｂや無線ネットワーク制御装置（ＲＮＣ）である。さらに他の例によれば、３ＧＰＰ ＲＡＮがＥ−ＵＴＲＡＮであった場合、これらの無線ノードはｅＮｏｄｅ Ｂである。３ＧＰＰ ＲＡＮ２はモバイルコアネットワーク５に接続されている。Ｗｉ−Ｆｉ ＬＡＮ ３は、Ｗｉ−Ｆｉ／ＷＬＡＮアクセス制御装置（ＡＣ）８に接続可能ないくつかのＷｉ−Ｆｉ／ＬＡＮ ＡＰ ７を有している。Ｗｉ−Ｆｉ／ＷＬＡＮ ＡＣ ８は、Ｗｉ−Ｆｉ／ＬＡＮ ＡＰ ７のそれぞれを制御することができ、Ｗｉ−Ｆｉ ＬＡＮ ３に対して参加（アソシエート）／アタッチされることを希望する移動局／ユーザ端末の認証をアシストすることができる。
【０００４】
ヘテロジニアスネットワークがＵＴＲＡＮ、Ｅ−ＵＴＲＡＮおよびＷｉ−Ｆｉ ＲＡＮ／ＷＬＡＮを含む場合、ＵＴＲＡＮとＥ−ＵＴＲＡＮの両方の規格は第三世代パートナーシッププロジェクト（３ＧＰＰ）によって策定され、関連する３ＧＰＰ規格はこれらの３ＧＰＰ ＲＡＮ間のロードシェアリング（負荷分散）を取り扱うことが可能な機能を規格化する。これとは対照的に、Ｗｉ−Ｆｉ／ＷＬＡＮは電気・電子工学技術学会（ＩＥＥＥ）によって策定され、ＩＥＥＥ規格も３ＧＰＰ規格も、Ｗｉ−Ｆｉ／ＷＬＡＮと３ＧＰＰ ＲＡＮとの間のロードシェアリングを取り扱う機能について規格化していない。
【０００５】
とりわけ、現時点において最も利用されているデバイス、つまり、ユーザ装置（ＵＥ）またはクライアントデバイスが、Ｗｉ−Ｆｉ ＲＡＮ／ＷＬＡＮと３ＧＰＰ ＲＡＮとの両方のカバレッジ内に位置しているときに、このデバイスは、Ｗｉ−Ｆｉ ＲＡＮ／ＷＬＡＮに対して自動的に接続を試行し、３ＧＰＰ ＲＡＮからデタッチしてしまう。したがって、３ＧＰＰ ＲＡＮからＷＬＡＮに対して移動するための決定は、各ＲＡＮの負荷状態および／またはパフォーマンスを考慮することなしに、実行されてしまい、ネットワークとユーザとの双方に不利益をもたらすようなパフォーマンスの低下をもたらしうる。
【０００６】
Ｗｉ−Ｆｉ ＲＡＮ／ＷＬＡＮと３ＧＰＰ ＲＡＮとの間で少なくとも何らかのロードステアリング（負荷制御）を提供するために、デバイスがＷｉ−Ｆｉ ＲＡＮに対するアソシエートを試行するときに、ＷＬＡＮと３ＧＰＰ ＲＡＮの両方の何らかの関連した状況が評価され、デバイスがＷｉ−Ｆｉ ＲＡＮ／ＷＬＡＮを使用すべきか、それとも利用可能な３ＧＰＰ ＲＡＮを使用すべきかを決定することが現時点では提案されよう。しかし、Ｗｉ−Ｆｉ ＲＡＮ／ＷＬＡＮで使用されているユーザ装置の識別情報と３ＧＰＰ ＲＡＮで使用されているユーザ装置の識別情報が異なっているため、Ｗｉ−Ｆｉ ＲＡＮ／ＷＬＡＮと３ＧＰＰ ＲＡＮとに関連した状況を評価することは簡単な動作ではない。
【発明の概要】
【０００７】
本発明のある観点によれば、無線ローカルエリアネットワーク（ＷＬＡＮ）のエンティティを動作させる方法が提供される。本方法は、ＷＬＡＮのエンティティが、ＷＬＡＮにアソシエートしていないデバイスからセルラーモバイルネットワークについてのロードインフォメーションについてのリクエストを受信するステップを有する。当該リクエストに応答して、当該エンティティはロードインフォメーションを取得し、取得したロードインフォメーションをデバイスに送信する。これにより、デバイスはＷＬＡＮに対してアソシエートすることが有利であるのかどうかを判定できるようになろう。
【０００８】
オプションとして、当該リクエストは、公衆地上モバイルネットワーク（ＰＬＭＮ）の識別情報を含んでもよく、エンティティは、ロードインフォメーションを決定するときに、ＰＬＭＮ識別情報から、ＷＬＡＮのアクセスポイントに対してオーバーラップしているカバレッジを有するセルラーモバイルネットワークのセルを決定し、当該セルからロードインフォメーションを取得してもよい。これにより、ＷＬＡＮのエンティティは、デバイスに情報を提供できるようになり、デバイスはセルラーモバイルネットワークについてのロードインフォメーションへのアクセスを有することになるため、ＷＬＡＮにアソシエートすべきか、当該セルラーモバイルネットワークに接続／キャンプオンすべきかを判定できるようになろう。
【０００９】
代替的に、当該リクエストは、セルラーモバイルネットワークのセルの識別情報を含んでいてもよい。当該セルの識別情報を搭載することで、ＷＬＡＮのエンティティは、識別したセルについてのロードインフォメーションを取得してもよい。これは特別な使用形態であり、たとえば、デバイスがすでにセルラーモバイルネットワークに接続／キャンプオンしており、接続／キャンプオンしている当該セルの識別情報を取得しているため、デバイスは効率よくセルラーモバイルネットワークについての必要な情報をＷＬＡＮに取得させることが可能となる。
【００１０】
ロードインフォメーションは、セルラーモバイルネットワークのエンティティに対してロードインフォメーションのリクエストを送信し、当該セルラーモバイルネットワークのロードインフォメーションを受信する、ＷＬＡＮ内のエンティティによって取得されてもよい。これにより、デバイスはセルラーモバイルネットワークの最新のロードインフォメーションを取得できるようになる。
【００１１】
代替的に、ＷＬＡＮのエンティティは、セルラーモバイルネットワークのロードインフォメーションをメモリに記憶していてもよく、リクエストに応答して、ロードインフォメーションをメモリから抽出することでロードインフォメーションを取得してもよい。ＷＬＡＮは、３ＧＰＰネットワークに対して、各セルについて定期的に、または３ＧＰＰネットワーク内のロード（負荷）がロード閾値を横切ったときにメモリに記憶されることになるロードインフォメーションをＷＬＡＮに提供するよう、リクエストしてもよい。これにより、ＷＬＡＮのエンティティは、デバイスに対してロードインフォメーションを素早く提供できるようになろう。
【００１２】
ロードインフォメーションについてのリクエストは、ＷＬＡＮの少なくとも一部についてのロードインフォメーションについてのリクエストと、セルラーモバイルネットワークについてのロードインフォメーションについてのリクエストとを含んでもよい。
【００１３】
ロードインフォメーションは、アクセスポイントについてのロード、バックホールのロード、エアインタフェースのロード、３ＧＰＰ ＲＡＮノードのロードおよびネットワークの処理負荷のうちの一つまたは複数であってもよい。
【００１４】
本発明の他の観点によれば、無線ローカルエリアネットワーク（ＷＬＡＮ）のエンティティが提供される。エンティティは、プロセッサと送信機を含む。プロセッサは、ＷＬＡＮに対してアソシエートしていないデバイスから受信した、ロードインフォメーションについてのリクエストに応答して、セルラーモバイルネットワークについてのロードインフォメーションを取得することができる。送信機は、取得したロードインフォメーションをデバイスに対して送信することができる。
【００１５】
当該リクエストは、公衆地上モバイルネットワーク（ＰＬＭＮ）の識別情報を含んでもよく、この場合、プロセッサは、ＰＬＭＮ識別情報から、ＷＬＡＮのエンティティに対してオーバーラップしているカバレッジを有するセルラーモバイルネットワークのセルを決定することによって、ロードインフォメーションを取得してもよい。
【００１６】
代替的に、リクエストは、セルラーモバイルネットワークのセルの識別情報を含んでもよい。この場合、ＷＬＡＮのエンティティは識別したセルについてのロードインフォメーションを取得する。
【００１７】
プロセッサは、セルラーモバイルネットワークのエンティティに対してロードインフォメーションについてのリクエストを送信機に送信させてもよく、セルラーモバイルネットワーク内のエンティティからロードインフォメーションを受信する受信機を有していてもよい。
【００１８】
エンティティは、セルラーモバイルネットワークのセルに関するロードインフォメーションを記憶するように構成されたメモリを有していてもよい。この場合、プロセッサは、当該メモリからロードインフォメーションを抽出することでロードインフォメーションを取得する。
【００１９】
ロードインフォメーションについてのリクエストは、ＷＬＡＮの少なくとも一部についてのロードインフォメーションのリクエストと、セルラーモバイルネットワークについてのロードインフォメーションのリクエストとを含んでもよい。
【００２０】
リクエストおよび／または抽出されたロードインフォメーションは、アクセスポイントについてのロード、バックホールのロード、エアインタフェースのロード、３ＧＰＰ ＲＡＮノードのロードおよびネットワークの処理負荷のうちの一つまたは複数であってもよい。
【００２１】
無線ローカルエリアネットワークのエンティティは、ＷＬＡＮアクセスポイントまたはＷＬＡＮアクセス制御装置（ＷＬＡＮ ＡＣ）のいずれでもよい。
【００２２】
本発明のさらに他の観点によれば、セルラーモバイルネットワークに対して接続またはキャンプオン可能で、かつ、ＷＬＡＮにアソシエート可能なデバイスを動作させる方法が提供される。本方法は、デバイスが無線ローカルエリアネットワーク（ＷＬＡＮ）にアソシエートしていないときに、当該ＷＬＡＮのエンティティに対して、セルラーモバイルネットワークのロードインフォメーションについてのリクエストを送信することを含む。ロードインフォメーションについてのリクエストに応答して、当該デバイスは、ロードインフォメーションを受信し、ロードインフォメーションを使用して、セルラーモバイルネットワークに対して接続／キャンプオンすべきか、それともＷＬＡＮに対してアソシエートすべきかを判定する。このように、デバイスは、セルラーモバイルネットワークへの接続と、ＷＬＡＮへのアソシエートとのどちらがより良いサービスを提供するかを判定できるようになり、したがって、セルラーモバイルネットワークとＷＬＡＮのどちらかを選択できるようになる。
【００２３】
リクエストは、公衆地上モバイルネットワーク（ＰＬＭＮ）の識別情報を含んでもよいし、あるいは、代替的に、リクエストは、セルラーモバイルネットワークのセルの識別情報を含んでもよい。リクエストがセルの識別情報を含んでいる場合、デバイスによって受信されるロードインフォメーションは、識別されたセルに関連したロードインフォメーションとなる。
【００２４】
本発明のさらに他の観点によれば、セルラーモバイルネットワークに対して接続またはキャンプオン可能で、かつ、ＷＬＡＮにアソシエート可能なデバイスが提供される。当該デバイスは、送信機、受信機およびプロセンサを有する。送信機は、当該デバイスが無線ローカルエリアネットワーク（ＷＬＡＮ）にアソシエートしていないときに、当該ＷＬＡＮのエンティティに対して、セルラーモバイルネットワークのロードインフォメーションについてのリクエストを送信する。受信機は、ロードインフォメーションを受信するように動作する。プロセッサは、セルラーモバイルネットワークに対して接続／キャンプオンすべきか、それともＷＬＡＮに対してアソシエートすべきかを判定する。
【００２５】
当該デバイスによって送信されるリクエストには、デバイスが接続するかもしれないＰＬＭＮの識別情報が含まれてもよい。代替的に、当該リクエストには、セルラーモバイルネットワークにおけるセルの識別情報が含まれてもよい。
【図面の簡単な説明】
【００２６】
本発明の幾つかの実施形他は、添付の図面を参照しながら詳細に説明される。
【図１】ヘテロジニアスアクセスネットワークの一例を示す図
【図２】本方法を実行するように構成されたＷＬＡＮエンティティの実施形態を示す図
【図３】本方法を実行するように構成されたデバイスの実施形態を示す図
【図４】本方法にしたがってＷＬＡＮと３ＧＰＰネットワークについてのロードインフォメーションを取得するユーザ装置（ＵＥ）のプロシージャの一例を示すフローチャート
【図５】本方法にしたがってＷＬＡＮと３ＧＰＰネットワークについてのロードインフォメーションを取得するユーザ装置（ＵＥ）のプロシージャの他の例を示すフローチャート
【発明を実施するための形態】
【００２７】
無線ローカルエリアネットワーク（ＷＬＡＮ）のアクセスポイント（ＡＰ）に接続（アソシエート）するのか、ＵＴＲＡＮまたはＥ−ＵＴＲＡＮなどの少なくとも１つの３ＧＰＰ ＲＡＮを含む３ＧＰＰネットワークのセルに接続もしくはキャンプオンするのかを、ＷＬＡＮ ＡＰによってカバーされているエリアが３ＧＰＰネットワークのセルにオーバーラップしているときに、ユーザ装置に決定できるようにする方法が以下で説明される。
【００２８】
図１に示したような３ＧＰＰネットワークは、第三世代パートナーシッププロジェクト（３ＧＰＰ）によって策定された規格に沿ったいずれかの無線アクセスネットワークであってもよい。たとえば、３ＧＰＰネットワークはユニバーサルモバイル通信システム（ＵＭＴＳ）またはロングタームエボリューション（ＬＴＥ）システムであってもよい。
【００２９】
図１に示したようにＷＬＡＮネットワークはＷｉ−Ｆｉネットワークと呼ばれうるものであり、電気電子工業技術学会（ＩＥＥＥ）によって策定された規格の無線アクセスネットワークである。図２は以下で説明する方法を実行するように構成されたＷＬＡＮエンティティ１０の実施形態を示している。ＷＬＡＮエンティティ１０は、コンピュータハードウエアとソフトウエアとのコンビネーション（組み合わせ）によって実装可能であり、受信機１１、送信機１２、プロセッサ１３およびメモリ１４を有する。メモリ１４は、プロセッサ１３により実行される様々なプログラム／実行可能ファイルを記憶し、必要なデータのための記憶ユニットを提供する。たとえば、メモリ１４は、ＷＬＡＮのアクセスポイントのカバレッジにオーバーラップしている１つはまたは複数のセルの識別情報を記憶することができる。メモリ１４に記憶され、プロセッサ１３によって実行されるプログラム／実行ファイルは、本発明の方法を実行するロードおよび／またはパフォーマンスのモニタリングおよび報告を行うユニットと、アクティビティ通知ユニットを含むが、これらにのみ限定されることを意図しているわけではない。ＷＬＡＮネットワークは、オプションとして、図１に示したコアネットワークに接続していてもよい。
【００３０】
図３は、本発明の方法を実行するように構成されたデバイス２０の実施形態を示している。デバイス２０はコンピュータハードウエアとソフトウエアとのコンビネーション（組み合わせ）によって実装可能であり、受信機２１、送信機２２、プロセッサ２３およびメモリ２４を有する。メモリ２４は、プロセッサ２３により実行される様々なプログラム／実行可能ファイルを記憶し、必要なデータのための記憶ユニットを提供する。たとえば、メモリ２４は、デバイス２０が接続またはキャンプオンする３ＧＰＰセルの識別情報を記憶することができる。メモリ２４に記憶され、プロセッサ２３によって実行されるプログラム／実行ファイルは、ＷＬＡＮ ＡＰにアソシエートするのか、または、３ＧＰＰセルに接続するのかを判定するが、これらにのみ限定されることを意図しているわけではない。デバイスは、たとえば、ユーザ装置（ＵＥ）、移動電話機、タブレット型コンピューティングデバイス、または、ラップトップであってもよい。
【００３１】
本方法は、ユーザ装置に、ＷＬＡＮ ＡＰのカバレッジと３ＧＰＰセルのカバレッジとがオーバーラップしている場合に、ＷＬＡＮ ＡＰと３ＧＰＰのセルの両方に関連したロードインフォメーション（負荷情報）を取得させる。
【００３２】
本発明の第一の実施形態が図４を参照しながら説明される。本実施形態によれば、ＷＬＡＮ ＡＰノードは、ＷＬＡＮ ＡＰによってカバーされているエリアとオーバーラップしている３ＧＰＰネットワーク内のセルについての情報を提供される。この情報をノードに提供する方法の一つは、ＰＣＴ／ＥＰ２０１２／０６５９７０に記載されており、ここにこれを参照によって取り込むことにする。
【００３３】
図４は、本発明の実装を示す例示的なフローチャートである。以下のように各ステップが実行される。
Ｓ１．  ＵＥはアクセスネットワーククエリープロトコル（ＡＮＱＰ）リクエストを、ＷＬＡＮ ＡＰから公衆地上モバイルネットワーク（ＰＬＭＮ）の情報を要求するために、送信する。
Ｓ２．  ＷＬＡＮはこのリクエストに応答し、３ＧＰＰネットワークにおいて接続しているＰＬＭＮのリストを送信する。
Ｓ３．  ＵＥは、３ＧＰＰネットワーク内で接続している、受信したＰＬＭＮのリストからＰＬＭＮを選択する。
Ｓ４．  ユーザ装置は、選択したＰＬＭＮの識別情報を含む、ＡＮＱＰリクエストをＷＬＡＮ ＡＰに送信する。ユーザ装置は、選択したＰＬＭＮに属している３ＧＰＰセルについてのロードインフォメーションを要求するためのリクエストを、ＡＮＱＰリクエスト内に搭載してもよい。
Ｓ５．  ＷＬＡＮ ＡＰは、自己のカバレッジエリアとオーバーラップしている３ＧＰＰネットワークのセルを判定する。
Ｓ６．  ＷＬＡＮ ＡＰは、たとえば、ＰＣＴ／ＥＰ２０１２／０６５９７０に記載された方法を使用して、３ＧＰＰシステムから、これらのセルのロードの情報をリクエストする。
Ｓ７．  ３ＧＰＰシステムはこのリクエストに応答し、これらのセルについてのロードインフォメーションを送信する。ロードインフォメーションは、３ＧＰＰ ＲＡＮノードのロードインフォメーション、バックホールのロードインフォメーションまたは３ＧＰＰのセルについてのロードに関連したいずれかの他の適切な情報および３ＧＰＰネットワーク内のノード間のいずれかのコネクションなどの情報を含みうる。
Ｓ８．  ＷＬＡＮはユーザ装置に対して応答し、オーバーラップしている３ＧＰＰセルに関する情報と、当該３ＧＰＰセルのロードインフォメーションを含むレスポンスを送信する。
Ｓ９．  ユーザ装置は、受信したロードインフォメーションから、ＷＬＡＮ ＡＰにアソシエートするのか、または、３ＧＰＰネットワークに接続／キャンプオンし続けるのかを判定する。
【００３４】
ロードインフォメーションを３ＧＰＰネットワークにクエリー（問い合わせ）する代わりに、ＷＬＡＮ ＡＰまたは他のＷＬＡＮエンティティが、各セルについて定期的にまたは３ＧＰＰ内のロードが閾値を横切ったときに、メモリにロードインフォメーションを記憶するために、ＷＬＡＮ ＡＰまたは他のＷＬＡＮエンティティにロードインフォメーションを提供するよう３ＧＰＰネットワークに対してリクエストを送信してもよい。さらに、ＷＬＡＮ ＡＰまたは他のＷＬＡＮエンティティは、ＷＬＡＮ ＡＰのカバレッジに対してオーバーラップしている３ＧＰＰのセルのリストを有していていもよく、これをメモリに記憶して保持していてもよい。したがって、ロードインフォメーションは、ＷＬＡＮ ＡＰまたは他のＷＬＡＮエンティティのメモリから抽出されてもよい。
【００３５】
オプションとして、デバイスは、当該デバイスにサービスを提供可能な他のＰＬＭＮによって識別された複数のネットワークを決定してもよい。この場合、デバイスは、これらのＰＬＭＮの一つを選択し、そのＰＬＭＮの識別情報を上述したようにＷＬＡＮ ＡＰに対して提供してもよい。
【００３６】
図５は、上述した本方法の他の実装を示すシグナリングのフローチャートである。各ステップは以下のように実行される。
Ｓ１１．  ＵＥはＷＬＡＮ ＡＰからＰＬＭＮ情報をリクエストするために、ＷＬＡＮ ＡＰに対してＡＮＱＰリクエストを送信する。
Ｓ１２．  ＷＬＡＮ ＡＰは、このリクエストに応答し、サービスを提供可能なＰＬＭＮのリストを送信する。
Ｓ１３．  ＵＥは、現在の３ＧＰＰセル（つまり、ＵＥが接続中またはキャンプオン中の３ＧＰＰセル）のＰＬＭＮが、受信したＰＬＭＮリストに含まれている一部であることを判定する。
Ｓ１４．  ＵＥは、３ＧＰＰネットワークについてのロードインフォメーションをＷＬＡＮ ＡＰに要求するためにＡＮＱＰリクエストをＷＬＡＮ ＡＰに送信する。このリクエストは、ＵＥが接続中またはキャンプオン中の３ＧＰＰセルの識別情報を含む。
Ｓ１５．  ＷＬＡＮ  ＡＰは、ＡＮＱＰリクエストにおいて特定されているセルについてのロードインフォメーションを、３ＧＰＰネットワークに対してリクエストする。
Ｓ１６．  ３ＧＰＰネットワークは、ＷＬＡＮ ＡＰからのリクエストに応答し、特定されたセルについてのロードインフォメーションを送信する。上述したように、このロードインフォメーションは、３ＧＰＰ ＲＡＮノードのロードインフォメーション、バックホールのロードインフォメーション、または、３ＧＰＰセルもしくは３ＧＰＰネットワークの一部におけるロードに関連したいずれかの他の適切な情報などである。
Ｓ１７．  ＷＬＡＮ ＡＰはロードインフォメーションを受信すると、ユーザ装置のリクエストに対するレスポンスを送信する。このレスポンスは、ユーザ装置によって送信されたＡＮＱＰリクエストにおいて特定されたセルについてのロードインフォメーションを含む。
Ｓ１８．  ユーザ装置は、受信したロードインフォメーションから、ＷＬＡＮ ＡＰにアソシエートするのか、または、３ＧＰＰセルに対して引き続き接続／キャンプオンし続けるのかを判定する。
【００３７】
上述した本発明では、ＷＬＡＮ ＡＰからＰＬＭＮの情報を受信した後でロードインフォメーションについてのリクエストが送信されることが示されているが、ユーザ装置が上記のシーケンスにおけるいずれの時点であってもロードインフォメーションについてのリクエストを送信してもよいことを、当業者であれば理解できるであろう。たとえば、ユーザ装置は、Ｓ１１ないしＳ１３のステップを省略することで、ＰＬＭＮのリストをリクエストする前またはそれと並行して、接続中またはキャンプオン中の３ＧＰＰセルの識別情報を送信してもよい。ＵＥは、また、ＰＬＭＮ情報についてのリクエストを送信する前またはこれと並行して、ＵＥが接続している３ＧＰＰセルについてのロードインフォメーションをリクエストしてもよい。
【００３８】
さらに、上述したように、ＷＬＡＮ ＡＰまたは他のＷＬＡＮエンティティが、３ＧＰＰネットワークのセルについてロードインフォメーションをメモリに記憶していてもよく、したがって、この情報はＷＬＡＮ ＡＰまたは他のＷＬＡＮエンティティによってメモリから抽出されてもよく、この場合は３ＧＰＰネットワークに対してクエリーする必要はないだろう。
【００３９】
ＷＬＡＮ ＡＰはＷＬＡＮについてのロードインフォメーションを提供してもよい。ロードインフォメーションは、ＡＰに関連付けられたロードや当該ＡＰを含む拡張サービスセット（ＥＳＳ）に関連付けられたロードに関連していてもよい。ロードインフォメーションは、アクセスポイントのロードインフォメーション、バックホールのロードインフォメーション、ＷＬＡＮ内のロードやＷＬＡＮの一部のロードに関連した他のいずれかの適切な情報であってもよい。ＷＬＡＮについてのロードインフォメーションは、３ＧＰＰネットワークの一つまたは複数のセルについてのロードインフォメーションを提供するメッセージと同一のメッセージにより提供されてもよいし、これとは別個のメッセージにより提供されてもよい。
【００４０】
本発明は、３ＧＰＰのセルに居残るのか、ＷＬＡＮ ＡＰに接続するのかを判定することを参照しながら説明されたが、本方法は、ＷＬＡＮ ＡＰと３ＧＰＰセルとの両方にコネクションを有していないときに、ＷＬＡＮ ＡＰにアソシエートするのか、または、３ＧＰＰセルに接続もしくはキャンプオンするのかをユーザ装置に判定させるように、適用されてもよい。
【００４１】
さらに、ロードインフォメーションのリクエストとロードインフォメーションを含むレスポンスは、ＡＮＱＰプロトコルを使用して送信されるものとして説明したが、ユーザ装置とＷＬＡＮ ＡＰとの間でメッセージを送信するために使用可能ないずれかの適切なプロトコルが使用可能であることも当業者であれば理解できるだろう。
【００４２】
さらに、選択されたＰＬＭＮまたは３ＧＰＰセルの識別情報を提供するメッセージに対して、ＵＥは、ＵＥの能力に関する詳細な情報を含めてもよい。たとえば、当該メッセージは、ＵＥがサポートしている無線アクセステクノロジー（ＧＳＭ、ＷＣＤＭＡ、ＬＴＥ、その他）についての情報を含んでもよい。当該メッセージは、また、ＵＥがサポートしている無線周波数バンドについての情報を含んでもよい。当該メッセージは、ＷＬＡＮがロードインフォメーションを抽出する３ＧＰＰセルの範囲を絞りこんだり、ＵＥがどの３ＧＰＰセルにアクセス可能かを決定することにバイアスをかけたりするために、利用されてもよい。この場合、ＵＥは、３ＧＰＰセルについての情報を搭載し、この搭載される情報には３ＧＰＰセルがどの無線アクセス技術に属しているかについての情報が含まれてもよい。この応用の目的として、ＵＥがその３ＧＰＰセルに対して接続すべきかを決定するためにＷＬＡＮ ＡＰによって使用されうるＵＥに関するいずれかの情報を含めるために、無線能力が考慮されてもよい。
【００４３】
本発明は上述した好ましい実施形態の観点から説明されたが、これらの実施形態は図解目的のためのものにすぎないことは理解されなければならない。当業者は、添付の特許請求の範囲の技術的範囲に含まれることが意図されている上記の開示の観点から、変形や置換を実行することができる。本願で開示又は図示された各特徴は、本発明に含まれてもよいし、各特徴は単独で用いられてもよいし、ここの開示または図示された他のいずれかの特徴に対して組み合わされたいずれかの適宜のコンビネーションとして用いられてもよい。たとえば、上記の例示的なフローチャートにおいて、これらのメッセージは特定の関連で説明されたに過ぎない。当業者は、これらのメッセージが図示では省略されていることを理解しよう。さらに、上述した実施形他は、少なくとも３ＧＰＰネットワークとＷＬＡＮとを含むヘテロジニアスネットワーク（異種網）と関連付けて説明されているが、上記の本発明の原理は、ｃｄｍａＯｎｅやＣＤＭＡ２０００などの他の無線アクセス技術を含むヘテロジニアスネットワークにも同様に適用可能である。
【００４４】
この文書の目的について、ＷＬＡＮとは異なる無線アクセスネットワークを含むいずれかのネットワークを参照するために、セルラーモバイルネットワークが考慮されている。たとえば、ＵＴＲＡＮ、Ｅ−ＵＴＲＡＮ、ｃｄｍａＯｎｅネットワークまたはＣＤＭＡ２０００ネットワークが含まれてもよい。
【図１】
2016504785.tif 000003
【図２】
2016504785.tif 000004
【図３】
2016504785.tif 000005
【図４】
2016504785.tif 000006
【図５】
2016504785.tif 000007
【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
無線ローカルエリアネットワーク（ＷＬＡＮ）のエンティティを動作させる方法であって、
セルラーモバイルネットワークについてのロードインフォメーションと前記ＷＬＡＮの少なくとも一部についてのロードインフォメーションとについての少なくとも一つのアクセスネットワーククエリープロトコル（ＡＮＱＰ）リクエストを前記ＷＬＡＮにアソシエートしていないデバイスから受信することと、
前記ＡＮＱＰリクエストに応答して前記セルラーモバイルネットワークについてのロードインフォメーションと前記ＷＬＡＮの前記一部についてのロードインフォメーションを取得することと、
前記セルラーモバイルネットワークについてのロードインフォメーションと前記ＷＬＡＮの前記一部についてのロードインフォメーションを前記デバイスに送信することと
を有することを特徴とする方法。
【請求項２】
前記ＡＮＱＰリクエストは、公衆地上モバイルネットワーク（ＰＬＭＮ）の識別情報を含み、
前記セルラーモバイルネットワークについてのロードインフォメーションを取得することは、前記ＰＬＭＮの識別情報から、前記ＷＬＡＮの前記エンティティとオーバーラップしているカバレッジを有している前記セルラーモバイルネットワークのセルを判定することと、当該セルラーモバイルネットワークの前記セルについてのロードインフォメーションを取得することとを含むことを特徴とする請求項１に記載の方法。
【請求項３】
前記ＡＮＱＰリクエストは、さらに、前記デバイスの無線能力に関する情報を含み、
前記セルラーモバイルネットワークのセルを判定することは、前記デバイスにアソシエートすることができる前記セルラーモバイルネットワークにおける一つ以上のセルを判定するために当該無線能力に関する情報を使用することを含むことを特徴とする請求項２に記載の方法。
【請求項４】
前記ＡＮＱＰリクエストは、前記セルラーモバイルネットワークにおけるセルの識別情報を含み、
前記セルラーモバイルネットワークについてのロードインフォメーションを取得することは、識別された前記セルラーモバイルネットワークのセルについてのロードインフォメーションを取得することを含むことを特徴とする請求項１に記載の方法。
【請求項５】
前記セルラーモバイルネットワークについてのロードインフォメーションを取得することは、
前記セルラーモバイルネットワークのエンティティに対して前記セルラーモバイルネットワークについてのロードインフォメーションについてのリクエストを送信することと、
前記セルラーモバイルネットワークについてのロードインフォメーションを受信することと
を含むことを特徴とする請求項１ないし４のいずれか１項に記載の方法。
【請求項６】
前記方法は、
前記セルラーモバイルネットワークについてのロードインフォメーションをメモリに記憶させることをさらに有し、
前記セルラーモバイルネットワークについてのロードインフォメーションを取得することは、前記メモリから前記セルラーモバイルネットワークについてのロードインフォメーションを抽出することを含むことを特徴とする請求項１ないし４のいずれか１項に記載の方法。
【請求項７】
前記ロードインフォメーションについての前記ＡＮＱＰリクエストを受信することは、前記ＷＬＡＮの少なくとも一部についてのロードインフォメーションについてのＡＮＱＰリクエストを受信することと、前記セルラーモバイルネットワークについてのロードインフォメーションについてのＡＮＱＰリクエストを受信することとを含むことを特徴とする請求項１ないし６のいずれか１項に記載の方法。
【請求項８】
前記ロードインフォメーションは、アクセスポイントのロードと、バックホールのロードと、エアインタフェースのロードと、３ＧＰＰ ＲＡＮノードのロードと、ネットワークの処理のロードとのうちの一つ以上を含むことを特徴とする請求項１ないし７のいずれか１項に記載の方法。
【請求項９】
無線ローカルエリアネットワーク（ＷＬＡＮ）のエンティティであって、
セルラーモバイルネットワークについてのロードインフォメーションと前記ＷＬＡＮの少なくとも一部についてのロードインフォメーションとについての少なくとも一つのアクセスネットワーククエリープロトコル（ＡＮＱＰ）リクエストを前記ＷＬＡＮにアソシエートしていないデバイスから受信する受信機と、
前記ＡＮＱＰリクエストに応答して、前記セルラーモバイルネットワークについてのロードインフォメーションと前記ＷＬＡＮの前記一部についてのロードインフォメーションとを取得するように構成されたプロセッサと、
前記セルラーモバイルネットワークについてのロードインフォメーションと前記ＷＬＡＮの前記一部についてのロードインフォメーションとを前記デバイスに送信する送信機と
を有することを特徴とするエンティティ。
【請求項１０】
前記ＡＮＱＰリクエストは、公衆地上モバイルネットワーク（ＰＬＭＮ）の識別情報を含み、
前記エンティティは、前記ＰＬＭＮの識別情報から、前記ＷＬＡＮのエンティティとオーバーラップしているカバレッジを有している前記セルラーモバイルネットワークのセルを判定し、当該セルについてのロードインフォメーションを取得することによって前記セルラーモバイルネットワークについてのロードインフォメーションを取得するように構成されていることを特徴とする請求項９に記載のエンティティ。
【請求項１１】
前記ＡＮＱＰリクエストは、さらに、前記デバイスの無線能力に関する情報を含み、
前記エンティティは、さらに、前記デバイスにアソシエートすることができる前記セルラーモバイルネットワークにおける一つ以上のセルを判定するために当該情報を使用することで、前記セルラーモバイルネットワークのセルを判定するように構成されていることを特徴とする請求項１０に記載のエンティティ。
【請求項１２】
前記ＡＮＱＰリクエストは、前記セルラーモバイルネットワークにおけるセルの識別情報を含み、
前記セルラーモバイルネットワークについてのロードインフォメーションを取得することは、識別された前記セルについてのロードインフォメーションを取得することを含むことを特徴とする請求項９に記載のエンティティ。
【請求項１３】
前記エンティティは、前記プロセッサにより前記送信機に前記セルラーモバイルネットワークのエンティティに対して前記セルラーモバイルネットワークについてのロードインフォメーションについてのリクエストを送信させ、前記受信機に前記セルラーモバイルネットワークについてのロードインフォメーションを前記セルラーモバイルネットワークのエンティティから受信させるように構成されていることを特徴とする請求項９ないし１２のいずれか１項に記載のエンティティ。
【請求項１４】
前記エンティティは、前記セルラーモバイルネットワークについてのロードインフォメーションを記憶するように構成されたメモリをさらに有し、前記セルラーモバイルネットワークについてのロードインフォメーションを取得することは、前記メモリから前記セルラーモバイルネットワークについてのロードインフォメーションを抽出することを含むことを特徴とする請求項９ないし１２のいずれか１項に記載のエンティティ。
【請求項１５】
前記ロードインフォメーションは、アクセスポイントのロードと、バックホールのロードと、エアインタフェースのロードと、３ＧＰＰ ＲＡＮノードのロードと、ネットワークの処理のロードとのうちの一つ以上を含むことを特徴とする請求項９ないし１４のいずれか１項に記載のエンティティ。
【請求項１６】
前記エンティティは、ＷＬＡＮアクセスポイントまたはＷＬＡＮアクセス制御装置を含むことを特徴とする請求項９ないし１５のいずれか１項に記載のエンティティ。
【請求項１７】
セルラーモバイルネットワークへ接続する能力と無線ローカルエリアネットワーク（ＷＬＡＮ）にアソシエートするする能力とを有するデバイスを動作させる方法であって、
前記デバイスの前記ＷＬＡＮとのアソシエートに先立って、前記ＷＬＡＮのエンティティに対して、前記セルラーモバイルネットワークについてのロードインフォメーションと前記ＷＬＡＮの少なくとも一部についてのロードインフォメーションとについての少なくとも一つのアクセスネットワーククエリープロトコル（ＡＮＱＰ）リクエストを送信することと、
前記ＡＮＱＰリクエストに応答して前記セルラーモバイルネットワークについてのロードインフォメーションと前記ＷＬＡＮの前記一部についてのロードインフォメーションを受信することと、
前記セルラーモバイルネットワークについてのロードインフォメーションと前記ＷＬＡＮの前記一部についてのロードインフォメーションとから前記ＷＬＡＮへのアソシエートを実行するかどうかを判定することと
を有することを特徴とする方法。
【請求項１８】
前記ＡＮＱＰリクエストは、公衆地上モバイルネットワーク（ＰＬＭＮ）の識別情報を含むことを特徴とする請求項１７に記載の方法。
【請求項１９】
前記ＡＮＱＰリクエストは、前記デバイスの無線能力に関連した情報を含むことを特徴とする請求項１７または１８に記載の方法。
【請求項２０】
前記ＡＮＱＰリクエストは、前記セルラーモバイルネットワークにおけるセルの識別情報を含み、前記セルラーモバイルネットワークについてのロードインフォメーションは、前記識別情報により識別されるセルに関連したロードインフォメーションであることを特徴とする請求項１７ないし１９のいずれか１項に記載の方法。
【請求項２１】
セルラーモバイルネットワークへ接続する能力と無線ローカルエリアネットワーク（ＷＬＡＮ）にアソシエートするする能力とを有するデバイスであって、
前記デバイスの前記ＷＬＡＮとのアソシエートに先立って、前記ＷＬＡＮのエンティティに対して、前記セルラーモバイルネットワークについてのロードインフォメーションと前記ＷＬＡＮの少なくとも一部についてのロードインフォメーションとについての少なくとも一つのアクセスネットワーククエリープロトコル（ＡＮＱＰ）リクエストを送信するように動作する送信機と、
前記ＡＮＱＰリクエストに応答して前記セルラーモバイルネットワークについてのロードインフォメーションと前記ＷＬＡＮの前記一部についてのロードインフォメーションとを受信するように動作する受信機と、
前記セルラーモバイルネットワークについてのロードインフォメーションと前記ＷＬＡＮの前記一部についてのロードインフォメーションとから前記ＷＬＡＮへのアソシエートを実行するかどうかを判定するように動作するプロセッサと
を有することを特徴とするデバイス。
【請求項２２】
前記ＡＮＱＰリクエストは、ＰＬＭＮの識別情報を含むことを特徴とする請求項２１に記載のデバイス。
【請求項２３】
前記ＡＮＱＰリクエストは、前記デバイスの無線能力に関連する情報を含むことを特徴とする請求項２１または２２に記載のデバイス。
【請求項２４】
前記ＡＮＱＰリクエストは、前記セルラーモバイルネットワークにおけるセルの識別情報を含み、前記セルラーモバイルネットワークについてのロードインフォメーションは、前記識別情報により識別されるセルに関連したロードインフォメーションであることを特徴とする請求項２１ないし２３のいずれか１項に記載のデバイス。
【国際調査報告】
2016504785.tif 000008
2016504785.tif 000009
2016504785.tif 000010